(57)【特許請求の範囲】
【請求項１】
貫通孔を有するヘッドと、前記ヘッドから延出するバンド本体とを備え、前記バンド本体には、対象物の周囲に巻き付けられる巻き領域と、前記貫通孔に挿入される挿入領域と、前記貫通孔から外側に引き出される余長領域とが、延出方向に順次配置されており、
前記ヘッドの前記貫通孔には、前記余長領域が前記貫通孔から前記巻き領域に接近する向きに前記挿入領域を方向付ける傾斜面が設けられ、
前記バンド本体には、前記余長領域を前記巻き領域の外面に密着させる保持部が設けられ、
前記保持部は、前記巻き領域の一側に突出する片持ち状の押さえ片を有し、前記押さえ片は、前記巻き領域の他側に反転した形態で前記余長領域の外面を覆い、先端部が前記巻き領域の他側に係止されることを特徴とするバンド。
【請求項２】
前記保持部は、前記巻き領域の延出方向に間隔をあけて複数設けられていることを特徴とする請求項１記載のバンド。
【発明の詳細な説明】
【技術分野】
【０００１】
本発明は、タイバンド等のバンドに関する。
【背景技術】
【０００２】
特許文献１には、挿通孔を有する締結部と、締結部から延出するバンド本体とを備えたバンドが開示されている。バンド本体は、被縛物の周囲に巻き付けられ、先端部が挿通孔に挿通される。バンド本体の先端部は、挿通孔から外側に引き出される余長領域を有している。バンド本体の余長領域が強く引っ張られた状態で、バンド本体の凹凸部が締結部の係止凹凸部に噛み合うことにより、バンド本体が締結部に係止され、被縛物の縛り状態が維持される。
【先行技術文献】
【特許文献】
【０００３】
【特許文献１】特開２００３−１０４４３０号公報
【発明の概要】
【発明が解決しようとする課題】
【０００４】
上記従来のバンドにおいては、バンド本体が被縛物を縛ったときに、バンド本体の余長領域が締結部から上向き又は斜め上向きに突出した状態になる。こうした余長領域は、通常、周辺部品等との干渉を回避するため、締結部からの突出量が短くなるように切断される。しかし、切断後のエッジが周辺部品等と接触し、周品部品が傷付くおそれがある。
【０００５】
本発明は上記のような事情に基づいて完成されたものであって、バンド本体の余長領域が周辺部品等と干渉するのを回避することが可能なバンドを提供することを目的とする。
【課題を解決するための手段】
【０００６】
本発明のバンドは、貫通孔を有するヘッドと、前記ヘッドから延出するバンド本体とを備え、前記バンド本体には、対象物の周囲に巻き付けられる巻き領域と、前記貫通孔に挿入される挿入領域と、前記貫通孔から外側に引き出される余長領域とが、延出方向に順次配置されており、前記ヘッドの前記貫通孔には、前記余長領域が前記貫通孔から前記巻き領域に接近する向きに前記挿入領域を方向付ける傾斜面が設けられ、前記バンド本体には、前記余長領域を前記巻き領域の外面に密着させる保持部が設けられ、前記保持部は、前記巻き領域の一側に突出する片持ち状の押さえ片を有し、前記押さえ片は、前記巻き領域の他側に反転した形態で前記余長領域の外面を覆い、先端部が前記巻き領域の他側に係止されるところに特徴を有する。
【発明の効果】
【０００７】
バンド本体の挿入領域が貫通孔の傾斜面に方向付けられることにより、バンド本体の余長領域が貫通孔から巻き領域に接近する向きになるため、余長領域が周辺部品と干渉しにくくなる。その結果、周辺部品が傷付くのを防止することができる。また、余長領域が周辺部品と干渉するのをより確実に回避することができる。また、保持部によって余長領域が巻き領域の外面に密着した状態を維持することができる。さらに、余長領域を突出量が短くなるように切断する作業を行う必要がない。
【図面の簡単な説明】
【０００８】
【図１】本発明の実施例１に係るバンドの斜視図である。
【図２】バンドが対象物の周囲に巻回された状態を示す斜視図であ
【図３】図２の状態の断面図である。
【図４】参考例１の図１相当図である。
【図５】同じく、図２相当図である。
【図６】同じく、図３相当図である。
【図７】参考例２の図１相当図である。
【図８】同じく、図２相当図である。
【図９】同じく、図３相当図である。
【図１０】参考例３の図１相当図である。
【図１１】同じく、図２相当図である。
【図１２】同じく、図３相当図である。
【発明を実施するための形態】
【０００９】
本発明の好ましい実施形態を以下に示す。
【００１３】
前記保持部は、前記巻き領域の延出方向に間隔をあけて複数設けられている。これによれば、余長領域が巻き領域の外面に密着した状態をいっそう確実に維持することができる。
【００１４】
＜実施例１＞
以下、実施例１を図１〜図３によって説明する。実施例１に係るバンド１０は、自動車に配索される電線等の対象物６０を縛るタイバンドを例示している。バンド１０は、合成樹脂製であって全体が一体に成形され、略角ブロック状のヘッド１１と、ヘッド１１の底面側（対象物６０と対向する面側）の縁部から細長く延出するバンド本体１２とを備えている。
【００１５】
バンド本体１２は、ヘッド１１に連結される扁平帯状のバンド基体部１３を有している。バンド基体部１３は、先端部を除いて一定の幅寸法を有し、薄肉に形成されていてヘッド１１との連結部位を起点として回曲可能とされている。
【００１６】
図３に示すように、バンド本体１２には、対象物６０の外周面に巻き付けられる環状の巻き領域１４と、巻き領域１４の一端からヘッド１１の後述する貫通孔１５に挿入されて貫通孔１５内に配置される挿入領域１６と、貫通孔１５から引き出されて外側に延出する余長領域１７とが、バンド本体１２の延出方向に順次並んで配置されている。
【００１７】
図１に示すように、バンド本体１２は、ヘッド１１の近傍位置に保持部１８を有している。保持部１８は、バンド基体部１３の一側縁（図１の向かって右側の側縁）から一側に突出する押さえ片１９と、バンド基体部１３を挟んで押さえ片１９とは反対側の位置にてバンド基体部１３の他側縁（図１の向かって左側の側縁）から他側に張り出す受け片２１とで構成されている。
【００１８】
押さえ片１９は、片持ち状の突出するバンド基体部１３と同じ又はバンド基体部１３より薄い薄肉の帯片であり、バンド基体部１３との連結部位を支点として他側に反転可能とされている。押さえ片１９の先端部には、円形の係止孔２２が貫通して設けられている。
【００１９】
受け片２１は、バンド本体１２の延出方向に関して押さえ片１９より長く、幅方向に関して押さえ片１９より短い突片であり、押さえ片１９と違って、一側への反転動作が規制された形態になっている。受け片２１の外面（対向物と対向する面とは反対側の面）には、バンド基体部１３を挟んで係止孔２２と対称な位置に、係止突起２３が突設されている。係止突起２３は、円柱状の本体部分の先端から鍔部２４が全周に亘って張り出した形態になっている。図２に示すように、押さえ片１９が反転すると、受け片２１の外面に押さえ片１９が被さり、押さえ片１９の係止孔２２に係止突起２３が弾性的に挿通されて、押さえ片１９の外面における係止孔２２の周縁に鍔部２４が当接可能に配置される。これにより、押さえ片１９の反転状態が維持されるようになっている。
【００２０】
ヘッド１１には、バンド本体１２の先端部における挿入領域１６が挿入される貫通孔１５が形成されている。貫通孔１５は、ヘッド１１の前後両面（図３におけるヘッド１１の左右方向の端面）に横長スリット状に開口している。ヘッド１１の貫通孔１５の内面のうち図３における上面は、前後方向に沿ったストレート面２５とされている。
【００２１】
一方、ヘッド１１の貫通孔１５の内面のうち図３における下面は、前側（バンド本体１２の先端部における余長領域１７が引き出される出口側）に向けて下り勾配で傾斜するテーパ状の傾斜面２６とされている。つまり、傾斜面２６は、貫通孔１５の出口側に向けて次第にバンド本体１２の巻き領域１４に近づくように傾斜する形態になっている。この傾斜面２６は、貫通孔１５の下面の後端における幅方向中央部から斜め下前方に片持ち状に突出するスロープ部２７に形成されている。
【００２２】
図３に示すように、ヘッド１１には、スロープ部２７を挟んで貫通孔１５とは反対側に、空間部２８が設けられている。空間部２８は、ヘッド１１の前面に開口する形態とされ、スロープ部２７の撓み動作を許容するスペースになっている。なお、傾斜面２６とストレート面２５は、ヘッド１１の前後方向の略全長に亘って設けられている。
【００２３】
スロープ部２７の傾斜面２６には、幅方向に沿った筋状の凹凸条が傾斜方向に繰り返し配置された凹凸部２９が設けられている。また、バンド本体１２の挿入領域１６にも、凹凸部２９と対応する形状の本体側凹凸部３１が設けられている。凹凸部２９が本体側凹凸部３１と噛み合うことにより、バンド本体１２の挿入領域１６がヘッド１１に係止され、バンド本体１２が対象物６０を縛った状態を保持することが可能となっている。
【００２４】
次に、実施例１に係るバンド１０の使用方法について説明する。  
対象物６０の周囲にバンド本体１２の巻き領域１４を巻回し、ヘッド１１の貫通孔１５にバンド本体１２の挿入領域１６を挿入する。図３に示すように、バンド本体１２の挿入領域１６は、貫通孔１５の入口側の上下両面間にほぼ隙間なく通される。
【００２５】
続いて、貫通孔１５の出口から引き出されるバンド本体１２の余長領域１７を手でもってバンド本体１２の巻き領域１４に近づく向きに引っ張る。すると、バンド本体１２の挿入領域１６が貫通孔１５の入口から出口にかけて傾斜面２６に沿って巻き領域１４が位置する側となる斜め下向きに配置される。また、バンド本体１２の余長領域１７も、挿入領域１６から連続して巻き領域１４に近づくように斜め下向きに延出される。
【００２６】
次いで、バンド本体１２の余長領域１７の先端部を引っ張りながら巻き領域１４に押し当て、その状態で押さえ片１９を受け片２１に向けて反転する。図２に示すように、押さえ片１９は、バンド本体１２の余長領域１７を跨ぐように横切り、先端部の係止孔２２に受け片２１の係止突起２３が挿入係止されることで、先端部が受け片２１に固定される。押さえ片１９が受け片２１に固定されることにより、バンド本体１２の余長領域１７が押さえ片１９によって巻き領域１４の外面に押し付けられ、その当接状態が維持される。また、凹凸部２９と本体側凹凸部３１とが互いに噛み合うことにより、バンド本体１２の挿入領域１６がヘッド１１の貫通孔１５内に抜け止めされる。ここで、バンド本体１２の挿入領域１６が傾斜面２６に案内されることで巻き領域１４に次第に近づくように配置されるため、余長領域１７の外側への弾性反力を小さく抑えることができ、余長領域１７の弾性反力を受けて押さえ片１９が受け片２１との係止を不用意に解除する事態を防止することができる。
【００２７】
また、バンド本体１２の余長領域１７のうち押さえ片１９より先方の先端部は、巻き領域１４の外面から僅かに浮き上がる可能性があるものの、傾斜面２６によって巻き領域１４側に指向され、且つ押さえ片１９によって巻き領域１４側に押さえ付けられることにより、巻き領域１４から外側に大きく突出することはない。
【００２８】
対象物６０が所定の箇所に設置されると、対象物６０と近接する位置に図示しない周辺部品が位置することがある。この場合に、バンド本体１２の余長領域１７が巻き領域１４から離れる向きとなる外側に突出していると、周辺部品に余長領域１７が干渉し、周辺部品の表面に傷が付くおそれがある。
【００２９】
しかるに本実施例１によれば、バンド本体１２の挿入領域１６が貫通孔１５の傾斜面２６によって方向付けられることにより、バンド本体１２の余長領域１７が貫通孔１５から巻き領域１４に接近する向きになるため、余長領域１７が外側に大きく突出することがない。その結果、余長領域１７が周辺部品と干渉するのを回避することができる。
【００３０】
また、バンド本体１２には余長領域１７を巻き領域１４の外面に密着させる保持部１８が設けられているため、余長領域１７が周辺部品とより干渉しにくい状態になる。しかも、保持部１８によってバンド本体１２の余長領域１７が巻き領域１４の外面に密着した状態を維持することができ、こうした保持部１８がバンド基体部１３と一体に成形されることで部品点数が増加するのを防止することができる。
【００３１】
さらに、保持部１８が巻き領域１４の一側に突出する押さえ片１９を有し、押さえ片１９が巻き領域１４の他側に反転して余長領域１７の外面を覆い、その状態で係止孔２２に係止突起２３が挿入係止されるため、余長領域１７を突出量が短くなるように切断する作業を行う必要がない。
【００３２】
＜参考例１＞
図４〜図６は、参考例１を示す。参考例１に係るバンド１０Ａは、保持部１８Ａが実施例１とは異なるが、その他は実施例１と同様である。このため、参考例１において、実施例１と同様の構成には同一符号を付し、実施例１と重複する説明を省略する。
【００３３】
保持部１８Ａは、バンド本体１２のヘッド１１寄りの位置に設けられたトンネル部３３として構成される。図４に示すように、トンネル部３３は、バンド基体部１３の両側縁から外側（対象物６０の径方向外側）に短く立ち上がる一対の側部３４と、両側部３４の立ち上がり端同士をつなぐ架設部３５とからなり、全体として門型に形成されている。図６に示すように、トンネル部３３の内部には、バンド本体１２の巻き領域１４との間に、余長領域１７が挿通される通し孔３６が区画されている。通し孔３６は余長領域１７と対応する断面形状を有し、余長領域１７は通し孔３６内に遊動規制された状態で挿通される。
【００３４】
参考例１の場合、貫通孔１５の出口から引き出されたバンド本体１２の余長領域１７がトンネル部３３の通し孔３６に通されることで巻き領域１４の外面に密着した状態に維持される。この場合に、ヘッド１１の傾斜面２６によって巻き領域１４が貫通孔１５の出口から巻き領域１４へと近づく向きに指向されるため、余長領域１７の先端をトンネル部３３の通し孔３６に通し易くなり、作業性の向上を図ることができる。
【００３５】
また、参考例１によれば、バンド基体部１３に固設されたトンネル部３３の通し孔３６に余長領域１７が挿通されるため、余長領域１７が巻き領域１４の外面に密着した状態をより良好に維持することができる。
【００３６】
＜参考例２＞
図７〜図９は、参考例２を示す。参考例２に係るバンド１０Ｂも、保持部１８Ｂが実施例１とは異なるが、その他は実施例１と同様である。このため、参考例２において、実施例１と同様の構成には同一符号を付し、実施例１と重複する説明を省略する。
【００３７】
図７に示すように、保持部１８Ｂは、バンド本体１２のヘッド１１寄りの位置に設けられた一対の引っ掛け片３７として構成される。両引っ掛け片３７は、バンド基体部１３の両側縁から外側（対象物６０の径方向外側）に短く立ち上がる一対の起立片部３８と、両起立片部３８の立ち上がり端から内側に対向して突出する掛止片部３９とからなり、それぞれ略Ｌ字形に形成されている。両引っ掛け片３７間には、バンド本体１２の余長領域１７の幅寸法より少し小さいクリアランス４１が開口している。
【００３８】
参考例２の場合、図８に示すように、貫通孔１５の出口から引き出されたバンド本体１２の余長領域１７の両側縁部が両引っ掛け片３７の掛止片部３９の内側に通される。この場合に、両引っ掛け片３７の撓み動作を伴った後、両引っ掛け片３７の掛止片部３９の内側に余長領域１７の両側縁部を嵌め込むようにしてもよい。これにより、両引っ掛け片３７の起立片部３８がバンド本体１２の余長領域１７の両側縁部を外側から覆って、余長領域１７が巻き領域１４の外面に遊動規制された状態で当接する。
【００３９】
参考例２によれば、実施例１の保持部に比べ、簡単な構造で余長領域１７を巻き領域１４の外面に密着させることができる。
【００４０】
＜参考例３＞
図１０〜図１２は、参考例３を示す。参考例３に係るバンド１０Ｃは、参考例１のトンネル部３３と同形状の保持部１８Ｃがバンド本体１２の延出方向に間隔をあけて複数設けられている。各保持部１８Ｃは、実施例１、参考例１、参考例２と同様、バンド基体部１３に一体に連結され、ヘッド１１寄りの位置に並んで配置されている。貫通孔１５の出口から引き出されたバンド本体１２の余長領域１７は、各保持部１８Ｃの通し孔３６に順次挿入される。したがって、参考例３によれば、余長領域１７が巻き領域１４の外面に密着した状態をいっそう確実に維持することができる。
【００４１】
＜他の実施例＞
以下、他の実施例を簡単に説明する。  
（１）貫通孔の内面の上下両面が傾斜面として構成され、両傾斜面に挟まれるようにして挿入領域が配置されるものであってもよい。  
（２）ヘッドに空間部が形成されず、空間部を中実としてもよい。  
（３）実施例１、参考例２の保持部も参考例３のようにバンド本体の延出方向に間隔をあけて複数設けられていてもよい。  
（４）ヘッドには、車両等に固定される弾性爪等の固定部が設けられていてもよい。  
（５）対象物は、一本の電線に限らず、複数本の電線からなり、各電線がバンドで束ねられるものであってもよい。また、対象物は、電線以外の部品等であってよく、複数の部品同士がバンドで締結されるものであってもよい。  
（６）余長領域は、所望の長さに切断されてもよい。  
（７）実施例１においては、押さえ片の係止孔に受け片の係止突起が挿入係止された状態とした後、押さえ片と巻き領域との間に、バンド本体の余長領域が挿通されるようにしてもよい。  
（８）実施例１とは逆に、係止孔が受け片に、係止突起が押さえ片に、設けられるものであってもよい。
（９）実施例１とは逆に、スロープ部が貫通孔の下面の後端から斜め上後方に片持ち状に延出する形態であってもよい。
【符号の説明】
【００４２】
１０、１０Ａ、１０Ｂ、１０Ｃ…バンド
１１…ヘッド
１２…バンド本体
１４…巻き領域
１５…貫通孔
１６…挿入領域
１７…余長領域
１８、１８Ａ、１８Ｂ、１８Ｃ…保持部
１９…押さえ片
２６…傾斜面
３３…トンネル部
３６…通し孔
３７…引っ掛け片
６０…対象物
【図１】
0006296029.tif 000002
【図２】
0006296029.tif 000003
【図３】
0006296029.tif 000004
【図４】
0006296029.tif 000005
【図５】
0006296029.tif 000006
【図６】
0006296029.tif 000007
【図７】
0006296029.tif 000008
【図８】
0006296029.tif 000009
【図９】
0006296029.tif 000010
【図１０】
0006296029.tif 000011
【図１１】
0006296029.tif 000012
【図１２】
0006296029.tif 000013